(57)【要約】【課題】薬液を効率よく回収して再利用する。【解決手段】基板処理装置は、基板に向けて処理液を吐出する上部ノズル１８１を有する。上部ノズルは、純水の供給ラインである純水導入ライン７２、接続部７１および処理液共通ライン７４により純水供給部１８４と接続され、供給ラインには純水用バルブである純水導入バルブ７２２が設けられる。薬液導入ライン７３により、供給ラインにおける上部ノズルと純水用バルブとの間の薬液導入位置７１３と薬液供給部１８３とが接続される。供給ラインにおける薬液導入位置と純水用バルブとの間の薬液回収位置７１５には、薬液回収ライン７５の一端が接続される。薬液回収ラインに設けられたエジェクタ８２２を有する薬液回収部８２が、上部ノズルからの薬液の吐出完了後、供給ラインにおいて上部ノズルと薬液回収位置との間に存在する薬液を回収する。これにより、薬液を効率よく回収して再利用することができる。【選択図】図３
2015135843.tif 000002
【特許請求の範囲】
【請求項１】
基板処理装置であって、
基板を保持する保持部と、
前記基板に向けて処理液を吐出するノズルと、
前記ノズルと純水供給部とを接続するとともに、純水用バルブが設けられた供給ラインと、
前記供給ラインにおける前記ノズルと前記純水用バルブとの間の薬液導入位置と、薬液供給部とを接続するとともに、薬液用バルブが設けられた薬液導入ラインと、
前記供給ラインにおける前記薬液導入位置と前記純水用バルブとの間の薬液回収位置に一端が接続された薬液回収ラインと、
前記薬液回収ラインに設けられたポンプを有し、前記供給ラインにおいて前記ノズルと前記薬液回収位置との間に存在する薬液を回収する薬液回収部と、
を備えることを特徴とする基板処理装置。
【請求項２】
請求項１に記載の基板処理装置であって、
前記供給ラインにおける前記薬液導入位置と前記純水用バルブとの間の純水排出位置に一端が接続された純水排出ラインと、
前記純水排出ラインに設けられたポンプを有し、前記供給ラインにおいて前記ノズルと前記純水排出位置との間に存在する純水を排出する純水排出部と、
をさらに備えることを特徴とする基板処理装置。
【請求項３】
請求項１または２に記載の基板処理装置であって、
前記供給ラインにおける前記ノズルと前記純水用バルブとの間の補助回収位置と、前記薬液回収部とを接続するとともに、補助バルブが設けられた補助回収ラインをさらに備え、
前記ノズルからの薬液の吐出直前に前記薬液用バルブおよび前記補助バルブを開くことにより、前記薬液供給部からの薬液が前記補助回収ラインを介して前記薬液回収部にて回収されることを特徴とする基板処理装置。
【請求項４】
請求項３に記載の基板処理装置であって、
前記薬液供給部が薬液を一定の温度に加熱するヒータを含むことを特徴とする基板処理装置。
【請求項５】
請求項１ないし４のいずれかに記載の基板処理装置であって、
前記供給ラインにおいて、前記純水供給部から前記ノズルへと向かう純水の流れ方向に垂直な断面の面積が、他の部位における面積よりも大きい内部空間が接続空間として設けられており、
前記接続空間が上下方向に長く、前記接続空間における前記流れ方向が下側から上側に向かい、
前記薬液導入位置および前記薬液回収位置が前記接続空間との接続位置であり、
前記薬液回収位置が前記薬液導入位置よりも下方に位置することを特徴とする基板処理装置。
【請求項６】
請求項１ないし５のいずれかに記載の基板処理装置であって、
前記基板の上方において、前記基板を覆うように前記基板の上面に沿って広がり、前記ノズルから前記基板に薬液が供給される際に、前記上面に近接するトッププレートをさらに備え、
前記ノズルが前記トッププレートと前記上面との間に薬液を供給することを特徴とする基板処理装置。
【発明の詳細な説明】
【技術分野】
【０００１】
本発明は、基板処理装置に関する。
【背景技術】
【０００２】
従来より、半導体基板（以下、単に「基板」という。）の製造工程では、基板処理装置を用いて基板に対して様々な処理が施される。例えば、表面上にレジストのパターンが形成された基板に薬液を供給することにより、基板の表面に対してエッチング等の処理が行われる。また、エッチング処理の終了後、基板上のレジストを除去したり基板を洗浄する処理も行われる。
【０００３】
特許文献１では、ミキシングバルブを有し、複数種類の処理液を基板に供給する基板処理装置が開示されている。ミキシングバルブの混合部の中間位置には純水導入口が配置され、混合部の両端にはＳＣ１導出口およびＳＣ２導出口がそれぞれ配置される。純水導入口とＳＣ１導出口との間には、ＳＣ１の生成に用いられる薬液原液が導入されるＳＣ１導入口が配置され、純水導入口とＳＣ２導出口との間には、ＳＣ２の生成に用いられる薬液原液が導入されるＳＣ２導入口が配置される。混合部で生成されたＳＣ１はＳＣ１導出口から導出され、混合部で生成されたＳＣ２はＳＣ２導出口から導出される。これにより、混合部内でＳＣ１およびＳＣ２が反応することが防止される。
【０００４】
また、特許文献２の基板処理装置では、複数の薬液導入弁と純水供給弁を有する薬液混合部が、配管を介して処理液供給ノズルに接続される。また、当該配管内の液面の位置を薬液混合部を介して調整する液面調整部が設けられる。処理液供給ノズルから基板に純水を供給する洗浄処理の終了時に、薬液混合部および当該配管を介して処理液供給ノズル内の純水が液面調整部により吸引される。これにより、純水の液面は当該配管の上方における凸形状の曲部を超える部位まで引き戻され、純水の液滴の落下が防止される。
【先行技術文献】
【特許文献】
【０００５】
【特許文献１】特開２０１２−７４６４２号公報
【特許文献２】特開２００２−１７０８０３号公報
【発明の概要】
【発明が解決しようとする課題】
【０００６】
ところで、基板処理装置では、基板上に供給された薬液を回収して再利用することが行われるが、ノズルからの薬液の吐出後、同じノズルから純水を吐出する場合には、ノズルの内部および供給ラインのノズル近傍に存在する薬液は純水と共に排出されてしまう。純水と混ざった薬液は容易には再利用することができないため、薬液の回収効率が低下する。
【０００７】
本発明は上記課題に鑑みなされたものであり、薬液を効率よく回収して再利用することを目的としている。
【課題を解決するための手段】
【０００８】
請求項１に記載の発明は、基板処理装置であって、基板を保持する保持部と、前記基板に向けて処理液を吐出するノズルと、前記ノズルと純水供給部とを接続するとともに、純水用バルブが設けられた供給ラインと、前記供給ラインにおける前記ノズルと前記純水用バルブとの間の薬液導入位置と、薬液供給部とを接続するとともに、薬液用バルブが設けられた薬液導入ラインと、前記供給ラインにおける前記薬液導入位置と前記純水用バルブとの間の薬液回収位置に一端が接続された薬液回収ラインと、前記薬液回収ラインに設けられたポンプを有し、前記供給ラインにおいて前記ノズルと前記薬液回収位置との間に存在する薬液を回収する薬液回収部とを備える。
【０００９】
請求項２に記載の発明は、請求項１に記載の基板処理装置であって、前記供給ラインにおける前記薬液導入位置と前記純水用バルブとの間の純水排出位置に一端が接続された純水排出ラインと、前記純水排出ラインに設けられたポンプを有し、前記供給ラインにおいて前記ノズルと前記純水排出位置との間に存在する純水を排出する純水排出部とをさらに備える。
【００１０】
請求項３に記載の発明は、請求項１または２に記載の基板処理装置であって、前記供給ラインにおける前記ノズルと前記純水用バルブとの間の補助回収位置と、前記薬液回収部とを接続するとともに、補助バルブが設けられた補助回収ラインをさらに備え、前記ノズルからの薬液の吐出直前に前記薬液用バルブおよび前記補助バルブを開くことにより、前記薬液供給部からの薬液が前記補助回収ラインを介して前記薬液回収部にて回収される。
【００１１】
請求項４に記載の発明は、請求項３に記載の基板処理装置であって、前記薬液供給部が薬液を一定の温度に加熱するヒータを含む。
【００１２】
請求項５に記載の発明は、請求項１ないし４のいずれかに記載の基板処理装置であって、前記供給ラインにおいて、前記純水供給部から前記ノズルへと向かう純水の流れ方向に垂直な断面の面積が、他の部位における面積よりも大きい内部空間が接続空間として設けられており、前記接続空間が上下方向に長く、前記接続空間における前記流れ方向が下側から上側に向かい、前記薬液導入位置および前記薬液回収位置が前記接続空間との接続位置であり、前記薬液回収位置が前記薬液導入位置よりも下方に位置する。
【００１３】
請求項６に記載の発明は、請求項１ないし５のいずれかに記載の基板処理装置であって、前記基板の上方において、前記基板を覆うように前記基板の上面に沿って広がり、前記ノズルから前記基板に薬液が供給される際に、前記上面に近接するトッププレートをさらに備え、前記ノズルが前記トッププレートと前記上面との間に薬液を供給する。
【発明の効果】
【００１４】
本発明によれば、薬液を効率よく回収して再利用することができる。
【図面の簡単な説明】
【００１５】
【図１】基板処理装置を示す断面図である。
【図２】気液供給部および気液排出部を示すブロック図である。
【図３】処理液供給ユニットの構成を示す図である。
【図４】基板処理装置における基板の処理の流れを示す図である。
【図５】基板処理装置を示す断面図である。
【図６】処理液供給ユニットを示す図である。
【図７】処理液供給ユニットを示す図である。
【図８】処理液供給ユニットを示す図である。
【図９】基板処理装置を示す断面図である。
【図１０】処理液供給ユニットを示す図である。
【図１１】処理液供給ユニットを示す図である。
【図１２】処理液供給ユニットの他の例を示す図である。
【発明を実施するための形態】
【００１６】
図１は、本発明の一の実施の形態に係る基板処理装置１を示す断面図である。基板処理装置１は、略円板状の半導体基板９（以下、単に「基板９」という。）に処理液を供給して基板９を１枚ずつ処理する枚葉式の装置である。図１では、基板処理装置１の一部の構成の断面に対する平行斜線の付与を省略している（他の断面図においても同様）。
【００１７】
基板処理装置１は、チャンバ１２と、トッププレート１２３と、チャンバ開閉機構１３１と、基板保持部１４と、基板回転機構１５と、液受け部１６と、カバー１７とを備える。カバー１７は、チャンバ１２の上方および側方を覆う。
【００１８】
チャンバ１２は、チャンバ本体１２１と、チャンバ蓋部１２２とを備える。チャンバ１２は、上下方向を向く中心軸Ｊ１を中心とする有蓋および有底の略円筒状である。チャンバ本体１２１は、チャンバ底部２１０と、チャンバ側壁部２１４とを備える。チャンバ底部２１０は、略円板状の中央部２１１と、中央部２１１の外縁部から下方へと広がる略円筒状の内側壁部２１２と、内側壁部２１２の下端から径方向外方へと広がる略円環板状の環状底部２１３と、環状底部２１３の外縁部から上方へと広がる略円筒状の外側壁部２１５と、外側壁部２１５の上端部から径方向外方へと広がる略円環板状のベース部２１６とを備える。
【００１９】
チャンバ側壁部２１４は、中心軸Ｊ１を中心とする環状である。チャンバ側壁部２１４は、ベース部２１６の内縁部から上方へと突出する。チャンバ側壁部２１４を形成する部材は、後述するように、液受け部１６の一部を兼ねる。以下の説明では、チャンバ側壁部２１４と外側壁部２１５と環状底部２１３と内側壁部２１２と中央部２１１の外縁部とに囲まれた空間を下部環状空間２１７という。
【００２０】
基板保持部１４の基板支持部１４１（後述）に基板９が支持された場合、基板９の下面９２は、チャンバ底部２１０の中央部２１１の上面と対向する。以下の説明では、チャンバ底部２１０の中央部２１１を「下面対向部２１１」と呼ぶ。
【００２１】
チャンバ蓋部１２２は中心軸Ｊ１に垂直な略円板状であり、チャンバ１２の上部を含む。チャンバ蓋部１２２は、チャンバ本体１２１の上部開口を閉塞する。図１では、チャンバ蓋部１２２がチャンバ本体１２１から離間した状態を示す。チャンバ蓋部１２２がチャンバ本体１２１の上部開口を閉塞する際には、チャンバ蓋部１２２の外縁部がチャンバ側壁部２１４の上部と接する。
【００２２】
チャンバ開閉機構１３１は、チャンバ１２の可動部であるチャンバ蓋部１２２を、チャンバ１２の他の部位であるチャンバ本体１２１に対して上下方向に相対的に移動する。チャンバ開閉機構１３１は、チャンバ蓋部１２２を昇降する蓋部昇降機構である。チャンバ開閉機構１３１によりチャンバ蓋部１２２が上下方向に移動する際には、トッププレート１２３もチャンバ蓋部１２２と共に上下方向に移動する。チャンバ蓋部１２２がチャンバ本体１２１と接して上部開口を閉塞し、さらに、チャンバ蓋部１２２がチャンバ本体１２１に向かって押圧されることにより、チャンバ１２内に密閉された内部空間であるチャンバ空間１２０（図９参照）が形成される。換言すれば、チャンバ蓋部１２２によりチャンバ本体１２１の上部開口が閉塞されることより、チャンバ空間１２０が密閉される。チャンバ蓋部１２２およびチャンバ本体１２１は、チャンバ空間１２０を形成する密閉空間形成部である。
【００２３】
基板保持部１４は、チャンバ空間１２０に配置され、基板９を水平状態で保持する。すなわち、基板９は、微細パターンが形成された一方の主面９１（以下、「上面９１」という。）を中心軸Ｊ１に垂直に上側を向く状態で基板保持部１４により保持される。基板保持部１４は、基板９の外縁部（すなわち、外周縁を含む外周縁近傍の部位）を下側から支持する上述の基板支持部１４１と、基板支持部１４１に支持された基板９の外縁部を上側から押さえる基板押さえ部１４２とを備える。基板支持部１４１は、中心軸Ｊ１を中心とする略円環状である。基板支持部１４１は、中心軸Ｊ１を中心とする略円環板状の支持部ベース４１３と、支持部ベース４１３の上面に固定される複数の第１接触部４１１とを備える。基板押さえ部１４２は、トッププレート１２３の下面に固定される複数の第２接触部４２１を備える。複数の第２接触部４２１の周方向の位置は、実際には、複数の第１接触部４１１の周方向の位置と異なる。
【００２４】
トッププレート１２３は、中心軸Ｊ１に垂直な略円板状である。トッププレート１２３は、チャンバ蓋部１２２の下方、かつ、基板支持部１４１の上方に配置される。トッププレート１２３は中央に開口を有する。基板９が基板支持部１４１に支持されると、基板９の上面９１は、中心軸Ｊ１に垂直なトッププレート１２３の下面と対向する。トッププレート１２３の直径は、基板９の直径よりも大きく、トッププレート１２３の外周縁は、基板９の外周縁よりも全周に亘って径方向外側に位置する。
【００２５】
図１に示す状態において、トッププレート１２３は、チャンバ蓋部１２２により吊り下げられるように支持される。チャンバ蓋部１２２は、中央部に略環状のプレート保持部２２２を有する。プレート保持部２２２は、中心軸Ｊ１を中心とする略円筒状の筒部２２３と、中心軸Ｊ１を中心とする略円環状のフランジ部２２４とを備える。フランジ部２２４は、筒部２２３の下端から径方向内方へと広がる。
【００２６】
トッププレート１２３は、環状の被保持部２３７を備える。被保持部２３７は、中心軸Ｊ１を中心とする略円筒状の筒部２３８と、中心軸Ｊ１を中心とする略円環状のフランジ部２３９とを備える。筒部２３８は、トッププレート１２３の上面から上方に広がる。フランジ部２３９は、筒部２３８の上端から径方向外方へと広がる。筒部２３８は、プレート保持部２２２の筒部２２３の径方向内側に位置する。フランジ部２３９は、プレート保持部２２２のフランジ部２２４の上方に位置し、フランジ部２２４と上下方向に対向する。被保持部２３７のフランジ部２３９の下面が、プレート保持部２２２のフランジ部２２４の上面に接することにより、トッププレート１２３が、チャンバ蓋部１２２から吊り下がるようにチャンバ蓋部１２２に取り付けられる。
【００２７】
トッププレート１２３の外縁部の下面には、複数の第１係合部２４１が周方向に配列され、支持部ベース４１３の上面には、複数の第２係合部２４２が周方向に配列される。実際には、第１係合部２４１および第２係合部２４２は、基板支持部１４１の複数の第１接触部４１１、および、基板押さえ部１４２の複数の第２接触部４２１とは、周方向において異なる位置に配置される。これらの係合部は３組以上設けられることが好ましく、本実施の形態では４組設けられる。第１係合部２４１の下部には上方に向かって窪む凹部が設けられる。第２係合部２４２は支持部ベース４１３から上方に向かって突出する。
【００２８】
基板回転機構１５は、いわゆる中空モータである。基板回転機構１５は、中心軸Ｊ１を中心とする環状のステータ部１５１と、環状のロータ部１５２とを備える。ロータ部１５２は、略円環状の永久磁石を含む。永久磁石の表面は、ＰＴＦＥ樹脂にてモールドされる。ロータ部１５２は、チャンバ１２内において下部環状空間２１７内に配置される。ロータ部１５２の上部には、接続部材を介して基板支持部１４１の支持部ベース４１３が取り付けられる。支持部ベース４１３は、ロータ部１５２の上方に配置される。
【００２９】
ステータ部１５１は、チャンバ１２外においてロータ部１５２の周囲、すなわち、径方向外側に配置される。本実施の形態では、ステータ部１５１は、チャンバ底部２１０の外側壁部２１５およびベース部２１６に固定され、液受け部１６の下方に位置する。ステータ部１５１は、中心軸Ｊ１を中心とする周方向に配列された複数のコイルを含む。
【００３０】
ステータ部１５１に電流が供給されることにより、ステータ部１５１とロータ部１５２との間に、中心軸Ｊ１を中心とする回転力が発生する。これにより、ロータ部１５２が、中心軸Ｊ１を中心として水平状態で回転する。ステータ部１５１とロータ部１５２との間に働く磁力により、ロータ部１５２は、チャンバ１２内において直接的にも間接的にもチャンバ１２に接触することなく浮遊し、中心軸Ｊ１を中心として基板９を基板支持部１４１と共に浮遊状態にて回転する。
【００３１】
液受け部１６は、カップ部１６１と、カップ部移動機構１６２と、カップ対向部１６３とを備える。カップ部１６１は中心軸Ｊ１を中心とする環状であり、チャンバ１２の径方向外側に全周に亘って位置する。カップ部移動機構１６２はカップ部１６１を上下方向に移動する。カップ部移動機構１６２は、カップ部１６１の径方向外側に配置される。カップ部移動機構１６２は、上述のチャンバ開閉機構１３１と周方向に異なる位置に配置される。カップ対向部１６３は、カップ部１６１の下方に位置し、カップ部１６１と上下方向に対向する。カップ対向部１６３は、チャンバ側壁部２１４を形成する部材の一部である。カップ対向部１６３は、チャンバ側壁部２１４の径方向外側に位置する環状の液受け凹部１６５を有する。
【００３２】
カップ部１６１は、側壁部６１１と、上面部６１２と、ベローズ６１７とを備える。側壁部６１１は、中心軸Ｊ１を中心とする略円筒状である。上面部６１２は、中心軸Ｊ１を中心とする略円環板状であり、側壁部６１１の上端部から径方向内方および径方向外方へと広がる。側壁部６１１の下部は、カップ対向部１６３の液受け凹部１６５内に位置する。
【００３３】
ベローズ６１７は、中心軸Ｊ１を中心とする略円筒状であり、上下方向に伸縮可能である。ベローズ６１７は、側壁部６１１の径方向外側において、側壁部６１１の周囲に全周に亘って設けられる。ベローズ６１７は、気体や液体を通過させない材料にて形成される。ベローズ６１７の上端部は、上面部６１２の外縁部の下面に全周に亘って接続される。換言すれば、ベローズ６１７の上端部は、上面部６１２を介して側壁部６１１に間接的に接続される。ベローズ６１７と上面部６１２との接続部はシールされており、気体や液体の通過が防止される。ベローズ６１７の下端部は、カップ対向部１６３を介してチャンバ本体１２１に間接的に接続される。ベローズ６１７の下端部とカップ対向部１６３との接続部でも、気体や液体の通過が防止される。
【００３４】
チャンバ蓋部１２２の中央には、中心軸Ｊ１を中心とする略円柱状の上部ノズル１８１が取り付けられる。上部ノズル１８１は、基板９の上面９１の中央部に対向してチャンバ蓋部１２２に固定される。上部ノズル１８１は、トッププレート１２３の中央の開口に挿入可能である。チャンバ底部２１０の下面対向部２１１の中央には、下部ノズル１８２が取り付けられる。下部ノズル１８２は、中央に液吐出口を有し、基板９の下面９２の中央部と対向する。下面対向部２１１には、複数の加熱ガス供給ノズル１８０がさらに取り付けられる。複数の加熱ガス供給ノズル１８０は、例えば、中心軸Ｊ１を中心とする周方向に等角度間隔にて配置される。
【００３５】
図２は、基板処理装置１が備える気液供給部１８および気液排出部１９を示すブロック図である。気液供給部１８は、上述の上部ノズル１８１、下部ノズル１８２および加熱ガス供給ノズル１８０に加えて、薬液供給部１８３と、純水供給部１８４と、処理液供給ユニット７と、不活性ガス供給部１８６と、加熱ガス供給部１８７とを備える。
【００３６】
薬液供給部１８３および純水供給部１８４は、処理液供給ユニット７を介して上部ノズル１８１に接続される。後述するように、処理液供給ユニット７には、他の種類の処理液の供給部も接続される。処理液供給ユニット７の構成については後述する。下部ノズル１８２は、弁を介して純水供給部１８４に接続される。上部ノズル１８１は、弁を介して不活性ガス供給部１８６にも接続される。上部ノズル１８１は中央に液吐出口を有し、その周囲にガス噴出口を有する。したがって、正確には、上部ノズル１８１の一部はチャンバ１２の内部にガスを供給する広義のガス供給部の一部である。複数の加熱ガス供給ノズル１８０は、弁を介して加熱ガス供給部１８７に接続される。
【００３７】
液受け部１６の液受け凹部１６５に接続される第１排出路１９１は、気液分離部１９３に接続される。気液分離部１９３は、外側排気部１９４、薬液回収部１９５および排液部１９６にそれぞれ弁を介して接続される。チャンバ１２のチャンバ底部２１０に接続される第２排出路１９２は、気液分離部１９７に接続される。気液分離部１９７は、内側排気部１９８および排液部１９９にそれぞれ弁を介して接続される。気液供給部１８および気液排出部１９の各構成は、制御部１０により制御される。チャンバ開閉機構１３１、基板回転機構１５およびカップ部移動機構１６２（図１参照）も制御部１０により制御される。
【００３８】
不活性ガス供給部１８６は、上部ノズル１８１を介してチャンバ１２内に不活性ガスを供給する。加熱ガス供給部１８７は、複数の加熱ガス供給ノズル１８０を介して基板９の下面９２に加熱したガス（例えば、高温の不活性ガス）を供給する。本実施の形態では、加熱ガス供給部１８７にて利用されるガスは窒素（Ｎ２）ガスであるが、窒素ガス以外であってもよい。
【００３９】
図３は、処理液供給ユニット７の構成を示す図である。処理液供給ユニット７は、接続部７１と、純水導入ライン７２と、薬液導入ライン７３と、処理液共通ライン７４と、薬液回収ライン７５と、補助回収ライン７６とを備える。純水導入ライン７２は、純水供給部１８４と接続部７１とを接続する。純水導入ライン７２には、第１純水導入バルブ７２１および第２純水導入バルブ７２２が設けられ、第１純水導入バルブ７２１は接続部７１に近接する。第２純水導入バルブ７２２では、純水供給部１８４側が、常時、純水（ＤＩＷ：Ｄｅｉｏｎｉｚｅｄ  Ｗａｔｅｒ）と接しており、第２純水導入バルブ７２２は純水の流路の開閉を行う純水用バルブである。
【００４０】
薬液導入ライン７３は、薬液供給部１８３と接続部７１とを接続する。薬液導入ライン７３には、薬液導入バルブ７３１が接続部７１に近接して設けられる。薬液導入バルブ７３１では、薬液供給部１８３側が、常時、薬液と接しており、薬液導入バルブ７３１は薬液の流路の開閉を行う薬液用バルブである。処理液共通ライン７４は、接続部７１と上部ノズル１８１とを接続する。処理液共通ライン７４には、処理液共通バルブ７４１が接続部７１に近接して設けられる。薬液回収ライン７５は、接続部７１と薬液回収部８２とを接続する。薬液回収ライン７５には、薬液回収バルブ７５１が接続部７１に近接して設けられる。補助回収ライン７６は、接続部７１と薬液回収部８２の薬液回収タンク８２１とを接続する。補助回収ライン７６には、補助バルブ７６１が接続部７１に近接して設けられる。
【００４１】
接続部７１は、上下方向（重力方向）に長い内部空間７１１（以下、「接続空間７１１」という。）を有する。純水導入ライン７２と接続空間７１１との接続位置である純水導入位置７１２は、接続空間７１１の下端近傍に位置する。処理液共通ライン７４と接続空間７１１との接続位置であるノズル連絡位置７１４は、接続空間７１１の上端近傍に位置する。薬液導入ライン７３と接続空間７１１との接続位置である薬液導入位置７１３は、上下方向において純水導入位置７１２とノズル連絡位置７１４との間に位置する。薬液回収ライン７５と接続空間７１１との接続位置である薬液回収位置７１５は、上下方向において純水導入位置７１２と薬液導入位置７１３との間に位置する。補助回収ライン７６と接続空間７１１との接続位置である補助回収位置７１６は、上下方向において薬液導入位置７１３とノズル連絡位置７１４との間に位置する。接続空間７１１では、薬液回収位置７１５は、薬液導入位置７１３よりも下方に位置し、補助回収位置７１６は、薬液導入位置７１３よりも上方に位置する。
【００４２】
処理液供給ユニット７は、純水排出ライン７７をさらに備える。純水排出ライン７７は、純水導入ライン７２における第１純水導入バルブ７２１と第２純水導入バルブ７２２との間の位置７２７（以下、「純水排出位置７２７」という。）と後述の純水排出部８３とを接続する。純水排出ライン７７には、純水排出バルブ７７１が設けられる。
【００４３】
純水導入ライン７２、接続部７１および処理液共通ライン７４は、純水供給部１８４と上部ノズル１８１とを接続する純水の供給ラインである。供給ラインでは、純水供給部１８４から上部ノズル１８１へと向かう純水の流れ方向に垂直な断面の面積（すなわち、流路面積）が接続空間７１１において最大である。すなわち、供給ラインでは、流路面積が他の部位における流路面積よりも大きい内部空間が接続空間７１１として設けられる。接続空間７１１における純水の流れ方向は下側から上側に向かう。
【００４４】
処理液供給ユニット７では、他の種類の処理液を供給ラインに導入する処理液導入ライン７８，７９がさらに設けられる。薬液導入ライン７３と同様に、各処理液導入ライン７８，７９の一端は接続部７１に接続され、処理液導入ライン７８，７９と接続空間７１１との接続位置は、上下方向においてノズル連絡位置７１４と純水導入位置７１２との間に位置する。処理液導入ライン７８，７９の他端は、当該種類の処理液の供給部（図示省略）に接続される。本実施の形態では、接続部７１、並びに、接続部７１に近接して設けられる第１純水導入バルブ７２１、薬液導入バルブ７３１、処理液共通バルブ７４１、薬液回収バルブ７５１、補助バルブ７６１および処理液導入ライン７８，７９のバルブが、１つの多連弁装置７０（ミキシングバルブ）として形成される。図３では、多連弁装置７０を破線の矩形にて示している。
【００４５】
薬液供給部１８３は、薬液を循環させる循環ライン（図示省略）と、循環ラインに設けられるヒータ１８３１とを有する。薬液は、循環ラインを循環しつつヒータ１８３１により一定の温度に加熱される。薬液導入ライン７３の一端は循環ラインに接続される。薬液回収部８２は、薬液回収タンク８２１と、薬液回収ライン７５において薬液回収バルブ７５１と薬液回収タンク８２１との間に設けられるエジェクタ８２２とを有する。薬液回収バルブ７５１を開いた状態で、ポンプであるエジェクタ８２２を駆動することにより、接続空間７１１における薬液回収位置７１５近傍の液体が薬液回収ライン７５内に流入し、薬液回収タンク８２１へと排出される。薬液回収部８２は、図２の薬液回収部１９５と同一であってもよい。純水排出部８３は、排液部８３１と、純水排出ライン７７において純水排出バルブ７７１と排液部８３１との間に設けられるエジェクタ８３２とを有する。純水排出バルブ７７１を開いた状態で、ポンプであるエジェクタ８３２を駆動することにより、純水導入ライン７２における純水排出位置７２７近傍の液体が純水排出ライン７７内に流入し、排液部８３１へと排出される。排液部８３１は、図２の排液部１９６，１９９であってよい。
【００４６】
図３の処理液供給ユニット７において、各処理液導入ライン７８，７９を介して供給ラインに他の種類の処理液が導入される場合に、当該処理液を回収して再利用するときには、薬液回収ライン７５と同様の構成を有する回収ライン、および、薬液回収部８２と同様の構成を有する回収部が処理液の種類毎に設けられる。各種類の処理液の回収ラインの一端は、上下方向において接続空間７１１における当該種類の処理液の導入位置と純水導入位置７１２との間の位置に接続される。
【００４７】
本実施の形態では、接続空間７１１に対する接続位置が上下方向に並ぶ複数の導入ライン７２，７９，７８，７３のうち、接続位置が最も下側の純水導入ライン７２を用いて接続空間７１１に常温の純水が導入され、接続位置が下から２番目の処理液導入ライン７９を用いて接続空間７１１に高温の純水（Ｈｏｔ  ＤＩＷ）が導入される。また、接続位置が下から３番目の処理液導入ライン７８を用いて接続空間７１１に酸（例えば、フッ酸（ＨＦ））の溶液が導入され、接続位置が最も上側の薬液導入ライン７３を用いて接続空間７１１に所定の有機溶剤（例えば、レジスト除去に用いられるフッ化アンモニウム（ＮＨ４Ｆ）を含む有機溶剤）が導入される。基板処理装置１では、上記以外の処理液を供給する処理液供給部が設けられてもよい。
【００４８】
図４は、基板処理装置１における基板９の処理の流れを示す図である。基板処理装置１では、図１に示すように、チャンバ蓋部１２２がチャンバ本体１２１から離間して上方に位置し、カップ部１６１がチャンバ蓋部１２２から離間して下方に位置する状態にて、基板９が外部の搬送機構によりチャンバ１２内に搬入され、基板支持部１４１により下側から支持される（ステップＳ１１）。以下、図１に示すチャンバ１２およびカップ部１６１の状態を「オープン状態」と呼ぶ。チャンバ蓋部１２２とチャンバ側壁部２１４との間の開口は、中心軸Ｊ１を中心とする環状であり、以下、「環状開口８１」という。基板処理装置１では、チャンバ蓋部１２２がチャンバ本体１２１から離間することにより、基板９の周囲（すなわち、径方向外側）に環状開口８１が形成される。ステップＳ１１では、基板９は環状開口８１を介して搬入される。
【００４９】
基板９が搬入されると、カップ部１６１が、図１に示す位置から図５に示す位置まで上昇し、環状開口８１の径方向外側に全周に亘って位置する。以下の説明では、図５に示すチャンバ１２およびカップ部１６１の状態を「第１密閉状態」という。また、図５に示すカップ部１６１の位置を「液受け位置」といい、図１に示すカップ部１６１の位置を「退避位置」という。カップ部移動機構１６２は、カップ部１６１を、環状開口８１の径方向外側の液受け位置と、液受け位置よりも下方の退避位置との間で上下方向に移動する。
【００５０】
液受け位置に位置するカップ部１６１では、側壁部６１１が、環状開口８１と径方向に対向する。また、上面部６１２の内縁部の上面が、チャンバ蓋部１２２の外縁部下端のリップシール２３２に全周に亘って接する。チャンバ蓋部１２２とカップ部１６１の上面部６１２との間には、気体や液体の通過を防止するシール部が形成される。これにより、チャンバ本体１２１、チャンバ蓋部１２２、カップ部１６１およびカップ対向部１６３により囲まれる密閉された空間（以下、「拡大密閉空間１００」という。）が形成される。拡大密閉空間１００は、チャンバ蓋部１２２とチャンバ本体１２１との間のチャンバ空間１２０と、カップ部１６１とカップ対向部１６３とに囲まれる側方空間１６０とが、環状開口８１を介して連通することにより形成された１つの空間である。
【００５１】
第１密閉状態では、基板押さえ部１４２の複数の第２接触部４２１が基板９の外縁部に接触する。トッププレート１２３の下面、および、基板支持部１４１の支持部ベース４１３上には、上下方向にて対向する複数対の磁石（図示省略）が設けられる。以下、各対の磁石を「磁石対」ともいう。基板処理装置１では、複数の磁石対が、周方向において第１接触部４１１、第２接触部４２１、第１係合部２４１および第２係合部２４２とは異なる位置に、等角度間隔にて配置される。基板押さえ部１４２が基板９に接触している状態では、磁石対の間に働く磁力（引力）により、トッププレート１２３に下向きの力が働く。これにより、基板押さえ部１４２が基板９を基板支持部１４１へと押圧する。
【００５２】
基板処理装置１では、基板押さえ部１４２が、トッププレート１２３の自重、および、磁石対の磁力により基板９を基板支持部１４１へと押圧することにより、基板９を基板押さえ部１４２と基板支持部１４１とで上下から挟んで強固に保持することができる。
【００５３】
第１密閉状態では、被保持部２３７のフランジ部２３９が、プレート保持部２２２のフランジ部２２４の上方に離間しており、プレート保持部２２２と被保持部２３７とは接触しない。換言すれば、プレート保持部２２２によるトッププレート１２３の保持が解除されている。このため、トッププレート１２３は、チャンバ蓋部１２２から独立して、基板保持部１４および基板保持部１４に保持された基板９と共に、基板回転機構１５により回転可能である。
【００５４】
また、第１密閉状態では、第１係合部２４１の下部の凹部に第２係合部２４２が嵌る。これにより、トッププレート１２３は、中心軸Ｊ１を中心とする周方向において基板支持部１４１の支持部ベース４１３と係合する。換言すれば、第１係合部２４１および第２係合部２４２は、トッププレート１２３の基板支持部１４１に対する回転方向における相対位置を規制する（すなわち、周方向における相対位置を固定する）位置規制部材である。チャンバ蓋部１２２が下降する際には、第１係合部２４１と第２係合部２４２とが嵌り合うように、基板回転機構１５により支持部ベース４１３の回転位置が制御される。
【００５５】
第１密閉状態が形成されると、図６に示すように、処理液供給ユニット７において薬液導入バルブ７３１および補助バルブ７６１が開かれる。これにより、薬液供給部１８３から薬液導入ライン７３を介して接続空間７１１に薬液が導入されるとともに、接続空間７１１の薬液が補助回収ライン７６を介して薬液回収タンク８２１に排出される（ステップＳ１２）。したがって、薬液導入ライン７３において薬液供給部１８３と薬液導入バルブ７３１との間に滞留して温度が低下した薬液が薬液回収タンク８２１にて回収される。後述するように、ステップＳ１２の処理後に、上部ノズル１８１から薬液が吐出されるため、ステップＳ１２の処理は、吐出前の薬液回収処理（プリディスペンス）である。また、後述するように、ステップＳ１２の処理の直前では、接続空間７１１がほぼ空であり、吐出前の薬液回収処理では、他の種類の処理液が混入することなく、薬液のみが薬液回収部８２にて回収される。
【００５６】
なお、処理液供給ユニット７における他の全てのバルブは閉じられている。図６では、薬液が流れる薬液導入ライン７３および補助回収ライン７６を太線にて描くとともに、薬液が充填される接続空間７１１に平行斜線を付している。また、図６中のバルブを示す記号において三角形の部分が黒いものは、バルブが開いている状態を示し、三角形の部分が白いものは、バルブが閉じている状態を示す（後述の図７、図８、図１０および図１１において同様）。
【００５７】
図５に示す基板処理装置１では、基板回転機構１５により一定の回転数（比較的低い回転数であり、以下、「定常回転数」という。）での基板９の回転が開始される。また、外側排気部１９４（図２参照）による拡大密閉空間１００内のガスの排出が開始される。そして、図７に示すように、処理液供給ユニット７において補助バルブ７６１が閉じられ、処理液共通バルブ７４１が開かれる。これにより、接続空間７１１の薬液が処理液共通ライン７４を介して上部ノズル１８１に導かれ、図５に示す上部ノズル１８１から、回転する基板９の上面９１の中央部に向けて薬液が吐出される（ステップＳ１３）。上部ノズル１８１からの薬液は、回転する基板９の上面９１に連続的に供給される。上面９１上の薬液は、基板９の回転により基板９の外周部へと拡がり、上面９１全体が薬液により被覆される。これにより、基板９の上面９１に対して薬液による処理が行われる。
【００５８】
上部ノズル１８１から薬液を供給する際には、トッププレート１２３の下面は、基板９の上方において基板９を覆うように基板９の上面９１に沿って広がり、基板９の上面９１に近接している。このように、基板９に対する薬液による処理は、トッププレート１２３の下面と基板９の上面９１との間の極めて狭い空間において行われる。基板９に対する処理の種類によっては、上部ノズル１８１からの薬液の供給に並行して、複数の加熱ガス供給ノズル１８０から加熱したガスが噴出されることにより、基板９が加熱されてよい。
【００５９】
拡大密閉空間１００では、回転する基板９の上面９１から飛散する薬液が、環状開口８１を介してカップ部１６１にて受けられ、液受け凹部１６５へと導かれる。液受け凹部１６５へと導かれた薬液は、図２に示す第１排出路１９１を介して気液分離部１９３に流入する。薬液回収部１９５では、気液分離部１９３から薬液が回収され、フィルタ等を介して薬液から不純物等が除去された後、再利用される。
【００６０】
上部ノズル１８１からの薬液の供給開始から所定時間（例えば、６０〜１２０秒）経過すると、図７中の薬液導入バルブ７３１が閉じられ、上部ノズル１８１からの薬液の吐出が停止される。そして、基板回転機構１５により、所定時間（例えば、１〜３秒）だけ基板９の回転数が定常回転数よりも高くされ、基板９から薬液が除去される。
【００６１】
処理液供給ユニット７では、図８に示すように薬液回収バルブ７５１が開かれるとともに、エジェクタ８２２の駆動が開始される。これにより、接続空間７１１において薬液回収位置７１５近傍の薬液が薬液回収ライン７５内に流入し（サックバックされ）、薬液回収タンク８２１へと排出される（ステップＳ１４）。薬液の吐出停止直後では、上部ノズル１８１の内部、処理液共通ライン７４の内部、および、接続部７１の接続空間７１１の全体において薬液が連続して充填されており、ステップＳ１４の処理により、上部ノズル１８１および処理液共通ライン７４の内部に存在する薬液、および、接続空間７１１の薬液回収位置７１５から上側に存在する薬液が、薬液回収ライン７５を介して薬液回収部８２にて回収される。ステップＳ１４の処理は、吐出後の薬液回収処理である。
【００６２】
また、図５の基板処理装置１では、チャンバ蓋部１２２およびカップ部１６１が同期して下方へと移動する。そして、図９に示すように、チャンバ蓋部１２２の外縁部下端のリップシール２３１が、チャンバ側壁部２１４の上部と接することにより、環状開口８１が閉じられ、チャンバ空間１２０が、側方空間１６０と隔絶された状態で密閉される。カップ部１６１は、図１と同様に、退避位置に位置する。以下、図９に示すチャンバ１２およびカップ部１６１の状態を「第２密閉状態」という。第２密閉状態では、基板９は、チャンバ１２の内壁と直接対向し、これらの間に他の液受け部は存在しない。
【００６３】
第２密閉状態でも、第１密閉状態と同様に、基板押さえ部１４２が基板９を基板支持部１４１へと押圧することにより、基板９が、基板押さえ部１４２と基板支持部１４１とで上下から挟まれて強固に保持される。また、プレート保持部２２２によるトッププレート１２３の保持が解除されており、トッププレート１２３は、チャンバ蓋部１２２から独立して、基板保持部１４および基板９と共に回転する。
【００６４】
チャンバ空間１２０が密閉されると、外側排気部１９４（図２参照）によるガスの排出が停止されるとともに、内側排気部１９８によるチャンバ空間１２０内のガスの排出が開始される。また、図１０に示すように、処理液供給ユニット７において薬液回収バルブ７５１が閉じられるとともに、第１純水導入バルブ７２１および第２純水導入バルブ７２２が開かれる。これにより、純水供給部１８４から純水導入ライン７２を介して接続空間７１１に純水が導入されるとともに、接続空間７１１の純水が処理液共通ライン７４を介して上部ノズル１８１に導かれる。そして、図９に示す上部ノズル１８１から、回転する基板９の上面９１の中央部に向けて純水が吐出され、基板９に純水が供給される（ステップＳ１５）。なお、薬液回収バルブ７５１を閉じる際には、エジェクタ８２２の駆動も停止される。
【００６５】
純水供給部１８４からの純水は、上部ノズル１８１から基板９の上面９１の中央部に連続的に供給される。また、純水供給部１８４からの純水は、下部ノズル１８２から基板９の下面９２の中央部にも連続的に供給される。上部ノズル１８１および下部ノズル１８２から吐出される純水は、洗浄液として基板９に供給される。
【００６６】
純水は、基板９の回転により上面９１および下面９２の外周部へと拡がり、基板９の外周縁から外側へと飛散する。基板９から飛散する純水は、チャンバ１２の内壁（すなわち、チャンバ蓋部１２２およびチャンバ側壁部２１４の内壁）にて受けられ、図２に示す第２排出路１９２、気液分離部１９７および排液部１９９を介して廃棄される（後述する基板９の乾燥処理においても同様）。これにより、チャンバ空間１２０において、純水による基板９に対する洗浄処理と共に、チャンバ１２内の洗浄も実質的に行われる。
【００６７】
純水の供給開始から所定時間経過すると、処理液供給ユニット７では、図１０に示す第２純水導入バルブ７２２が閉じられ、上部ノズル１８１からの純水の吐出が停止される。また、図１１に示すように、純水排出バルブ７７１が開かれるとともに、エジェクタ８３２の駆動が開始される。これにより、純水導入ライン７２において純水排出位置７２７近傍の純水が純水排出ライン７７内に流入し（サックバックされ）、排液部８３１へと排出される（ステップＳ１６）。純水の吐出停止直後では、上部ノズル１８１の内部、処理液共通ライン７４の内部、接続部７１の接続空間７１１、および、純水導入ライン７２の内部の全体において純水が連続して充填されており、ステップＳ１６の純水排出処理により、上部ノズル１８１の内部、処理液共通ライン７４の内部、接続空間７１１、および、純水導入ライン７２において純水排出位置７２７と接続部７１との間に存在する純水が、純水排出ライン７７を介して純水排出部８３により排出される。既述のように、純水導入ライン７２が、接続空間７１１の下端近傍に接続されるため、接続空間７１１内のほぼ全ての純水が排出され、接続空間７１１がほぼ空になる。純水の排出が完了すると、全てのバルブが閉じられるとともに、エジェクタ８３２の駆動も停止される。
【００６８】
図９の基板処理装置１では、複数の加熱ガス供給ノズル１８０から、基板９の下面９２に向けて、加熱したガスが噴出される。これにより、基板９が加熱される。また、加熱ガス供給ノズル１８０からの加熱ガスの噴出が継続された状態で、基板９の回転数が定常回転数よりも十分に高くされる。これにより、純水が基板９上から除去され、基板９の乾燥処理が行われる（ステップＳ１７）。基板９の乾燥開始から所定時間経過すると、基板９の回転が停止する。なお、処理液供給ユニット７において、一の処理液導入ライン７８，７９がＩＰＡ供給部に接続され、基板９の乾燥処理の前に、上部ノズル１８１から基板９の上面９１上にＩＰＡが供給され、上面９１上において純水がＩＰＡに置換されてよい。また、基板９の乾燥処理は、内側排気部１９８によりチャンバ空間１２０が減圧され、大気圧よりも低い減圧雰囲気にて行われてもよい。
【００６９】
その後、チャンバ蓋部１２２とトッププレート１２３が上昇して、図１に示すように、チャンバ１２がオープン状態となる。ステップＳ１７では、トッププレート１２３が基板支持部１４１と共に回転するため、トッププレート１２３の下面に液体はほとんど残存せず、チャンバ蓋部１２２の上昇時にトッププレート１２３から液体が基板９上に落下することはない。基板９は外部の搬送機構によりチャンバ１２から搬出される（ステップＳ１８）。
【００７０】
実際には、上記ステップＳ１１〜Ｓ１８の処理は、他の基板９に対して繰り返される。このとき、直前のステップＳ１６の処理（すなわち、現在の処理対象の基板９の直前に処理対象とされた基板９に対するステップＳ１６の処理）により接続空間７１１のほぼ全ての純水が排出されているため、現在の基板９に対する吐出前の薬液回収処理（ステップＳ１２の処理）において、薬液回収部８２にて回収される薬液に純水が混ざることが抑制される。
【００７１】
処理液供給ユニット７では、図１２に示すように、純水排出ライン７７において、純水排出バルブ７７１とエジェクタ８３２との間の位置７７５に薬液回収ライン７５の一端を接続することも可能である。この場合、純水排出ライン７７における純水排出位置７２７と位置７７５との間の部分が、純水排出ライン７７および薬液回収ライン７５により共有されていると捉えることができ、純水排出位置７２７は、薬液回収位置であるといえる。図１２の処理液供給ユニット７では、処理液共通バルブ７４１、第１純水導入バルブ７２１、純水排出バルブ７７１、および、薬液回収バルブ７５１が開いた状態、かつ、他のバルブは閉じた状態にて、吐出後の薬液回収処理が行われる。このように、薬液回収位置は、純水導入ライン７２、接続部７１および処理液共通ライン７４により形成される供給ラインにおいて、薬液導入位置７１３と、純水用バルブである第２純水導入バルブ７２２との間の任意の位置に設けることが可能である。
【００７２】
同様に、図３に示す薬液回収ライン７５において、薬液回収バルブ７５１とエジェクタ８２２との間の位置に純水排出ライン７７の一端を接続することも可能であり、この場合、薬液回収位置７１５は、純水排出位置であるといえる。このように、純水排出位置は、供給ラインにおいて、薬液導入位置７１３と第２純水導入バルブ７２２との間の任意の位置に設けることが可能である。
【００７３】
図３の処理液供給ユニット７において、純水排出ライン７７の第２純水導入バルブ７２２と接続部７１との間の位置に補助回収ライン７６の一端が接続されてよい。また、接続空間７１１において薬液導入位置７１３よりも下方に純水排出ライン７７の一端が接続されてよい。このように、補助回収位置は、供給ラインにおいて上部ノズル１８１と、純水用バルブである第２純水導入バルブ７２２との間の任意の位置に設けることが可能である。
【００７４】
以上に説明したように、基板処理装置１では、上部ノズル１８１が、純水の供給ラインである純水導入ライン７２、接続部７１および処理液共通ライン７４により純水供給部１８４と接続され、供給ラインには純水用バルブである第２純水導入バルブ７２２が設けられる。また、薬液導入ライン７３により、供給ラインにおける上部ノズル１８１と第２純水導入バルブ７２２との間の薬液導入位置７１３と薬液供給部１８３とが接続される。さらに、供給ラインにおける薬液導入位置７１３と第２純水導入バルブ７２２との間の薬液回収位置７１５に、薬液回収ライン７５の一端が接続される。そして、上部ノズル１８１からの薬液の吐出完了後に供給ラインにて上部ノズル１８１と薬液回収位置７１５との間に存在する薬液が、薬液回収ライン７５に設けられた薬液回収部８２により、上部ノズル１８１からの純水の吐出開始前に回収される。これにより、供給ラインに残存して純水と共に上部ノズル１８１から吐出される薬液の量を低減することができる、すなわち、薬液を効率よく回収して再利用することができる。好ましくは、接続空間７１１の下端近傍に薬液回収ライン７５が接続される。これにより、供給ラインに残存して純水と共に上部ノズル１８１から吐出される薬液の量をさらに低減することができ、薬液をより効率よく回収して再利用することができる。
【００７５】
また、供給ラインにおける薬液導入位置７１３と第２純水導入バルブ７２２との間の純水排出位置７２７に純水排出ライン７７の一端が接続される。そして、上部ノズル１８１からの純水の吐出完了後に供給ラインにて上部ノズル１８１と純水排出位置７２７との間に存在する純水が、純水排出ライン７７に設けられた純水排出部８３により、上部ノズル１８１からの薬液の吐出開始前（本実施の形態では、吐出前の薬液回収処理の前）に排出される。これにより、供給ラインに対して薬液導入位置７１３から薬液を導入する前に、供給ラインに残存する純水の量を低減することができ、薬液に純水が混入することを抑制することができる。好ましくは、接続空間７１１の下端近傍に接続された純水導入ライン７２に純水排出位置７２７が設けられる。これにより、供給ラインに残存して薬液と混ざる純水の量を大幅に低減することが実現される。その結果、薬液回収部８２において、ほぼ薬液のみ（純水が混入していない薬液）を回収することができる。
【００７６】
さらに、供給ラインにおける上部ノズル１８１と第２純水導入バルブ７２２との間の補助回収位置７１６と、薬液回収部８２とが補助回収ライン７６により接続される。そして、上部ノズル１８１からの薬液の吐出直前に、薬液導入ライン７３の薬液導入バルブ７３１および補助回収ライン７６の補助バルブ７６１を開くことにより、薬液供給部１８３からの薬液が補助回収ライン７６を介して薬液回収部８２にて回収される。これにより、薬液導入ライン７３において薬液導入バルブ７３１と薬液供給部１８３との間に滞留する薬液（例えば、温度が低下した薬液や僅かに変質した薬液等）が基板９上に吐出されることを防止することができ、薬液を基板９に吐出する処理の一定の質を確保することができる。好ましくは、補助回収位置７１６は、接続空間７１１におけるノズル連絡位置７１４の近傍に設けられる。
【００７７】
処理液供給ユニット７では、上部ノズル１８１に接続された１つの処理液共通ライン７４に対して、薬液導入ライン７３および純水導入ライン７２が接続部７１を介して接続される。これにより、１つの上部ノズル１８１から薬液および純水を吐出することが実現される。また、既述のように、処理液供給ユニット７では、内部に滞留する薬液を上部ノズル１８１を用いることなく排出することが可能である。したがって、処理液供給ユニット７の内部に滞留する薬液を排出する際に、上部ノズル１８１を基板９の上方の位置から退避させる必要がない。すなわち、基板保持部１４にて保持された基板９の上面９１に沿う方向における上部ノズル１８１の位置を固定することが可能である。このような上部ノズル１８１は、互いに近接するトッププレート１２３と基板９の上面９１との間に薬液および純水を順次供給する基板処理装置や、密閉された狭い内部空間にて処理が行われる基板処理装置に特に適している。
【００７８】
上記基板処理装置１では様々な変形が可能である。
【００７９】
処理液供給ユニットの設計によっては、接続部７１が他のラインと同様の部材（パイプ）により形成されてよく、他のラインとほぼ同じ流路面積であってよい。このような処理液供給ユニットにおいても、薬液導入位置が、供給ラインにおいて上部ノズル１８１と純水用バルブとの間の任意の位置に設けられ、薬液回収位置が、薬液導入位置と純水用バルブとの間に設けられる。これにより、薬液を効率よく回収して再利用することが可能である。供給ラインにおいて上部ノズル１８１と薬液回収位置との間に存在する薬液を、薬液回収部８２により回収することが可能であるならば、接続部７１は必ずしも上下方向に伸びる必要はない。
【００８０】
基板９の上方にて基板９の主面に沿って移動するノズルに対して、処理液供給ユニット７を介して処理液が供給されてよい。
【００８１】
薬液回収部８２および純水排出部８３では、エジェクタ８２２，８３２以外に、機能的に液を送ることが可能な様々なポンプが利用されてよい。
【００８２】
また、基板９は、様々な態様にて保持されてよく、例えば、基板９の下面９２の全体に接する基板保持部が設けられてよい。
【００８３】
基板処理装置１では、上部ノズル１８１から吐出される薬液により、基板上の酸化膜の除去や現像液による現像、あるいは、エッチング等、様々な処理が行われてよい。
【００８４】
基板処理装置１にて処理される基板は半導体基板には限定されず、ガラス基板や他の基板であってもよい。
【００８５】
上記実施の形態および各変形例における構成は、相互に矛盾しない限り適宜組み合わされてよい。
【符号の説明】
【００８６】
１    基板処理装置
９    基板
１４    基板保持部
７１    接続部
７２    純水導入ライン
７３    薬液導入ライン
７４    処理液共通ライン
７５    薬液回収ライン
７６    補助回収ライン
７７    純水排出ライン
８２    薬液回収部
８３    純水排出部
９１    上面
１２３    トッププレート
１８１    上部ノズル
１８３    薬液供給部
１８４    純水供給部
７１１    接続空間
７１３    薬液導入位置
７１５    薬液回収位置
７１６    補助回収位置
７２２    純水導入バルブ
７２７    純水排出位置
７３１    薬液導入バルブ
７６１    補助バルブ
８２２，８３２    エジェクタ
１８３１    ヒータ
【図１】
2015135843.tif 000003
【図２】
2015135843.tif 000004
【図３】
2015135843.tif 000005
【図４】
2015135843.tif 000006
【図５】
2015135843.tif 000007
【図６】
2015135843.tif 000008
【図７】
2015135843.tif 000009
【図８】
2015135843.tif 000010
【図９】
2015135843.tif 000011
【図１０】
2015135843.tif 000012
【図１１】
2015135843.tif 000013
【図１２】
2015135843.tif 000014